(57)【要約】【課題】経験を必要とせず、手間を要せず短時間に効率よく下地金網をモルタル塗布面に固定することができる下地金網固定構造を提供する。【解決手段】下地金網固定構造１０Ａは、モルタル塗布面１２に設置されるワイヤーメッシュ１４と、ワイヤーメッシュ１４をモルタル塗布面１２に固定する固定手段とから形成されている。固定手段は、モルタル塗布面１２とワイヤーメッシュ１４との間に位置するスペーサ１８と、ワイヤーメッシュ１４とスペーサ１８との間に位置する第１押さえ板１９と、ワイヤーメッシュ１４の外側に位置してワイヤーメッシュ１４の線条を第１スペーサ１９とともに挟み込む第２押さえ板２０と、スペーサ１８と第１および第２押さえ板１９，２０とをモルタル塗布面１２に固定するＰレスアンカー２１とから形成されている。【選択図】図２
2016079747.tif 000002
【特許請求の範囲】
【請求項１】
構造物のモルタル塗布面に設置される下地金網と、前記下地金網を前記モルタル塗布面に固定する固定手段とから形成されたモルタル塗布面に対する下地金網固定構造において、
前記固定手段が、前記モルタル塗布面と前記下地金網との間に位置するスペーサと、前記下地金網と前記スペーサとの間に位置する第１押さえ板と、前記下地金網の外側に位置して該金網の線条を前記第１スペーサとともに挟み込む第２押さえ板と、前記モルタル塗布面から前記構造物に螺着される螺子部と前記下地金網の外側に露出する頭部とを有し、前記スペーサと前記第１および第２押さえ板とを該モルタル塗布面に固定する固定ビスとから形成された下地金網固定構造。
【請求項２】
前記第１押さえ板が、前記スペーサと一体になって該スペーサの前記下地金網に対向する対向端部から径方向外方へ延びている請求項１に記載の下地金網固定構造。
【請求項３】
前記スペーサと前記第１押さえ板とが、前記固定ビスを挿通する第１挿通孔を有し、前記第２押さえ板が、前記固定ビスを挿通する第２挿通孔と、前記第２挿通孔の周縁から前記第１押さえ板に向かって延びていて前記スペーサおよび前記第１押さえ板の第１挿通孔に回転可能に挿入する挿入凸部とを有する請求項１または請求項２に記載の下地金網固定構造。
【請求項４】
前記スペーサと前記第１押さえ板とが、案内溝と案内凸条とのいずれか一方が形成されて前記固定ビスの螺子部を挿通する第１挿通孔を有し、前記第２押さえ板が、前記固定ビスの螺子部を挿通する第２挿通孔と、前記第２挿通孔の周縁から前記第１押さえ板に向かって延びていて前記第１押さえ板の第１挿通孔に嵌合する嵌合凸部とを有し、前記第２押さえ板と前記嵌合凸部とには、前記案内溝と前記案内凸条とのいずれか他方が形成され、前記下地金網固定構造では、前記スペーサおよび前記第１押さえ板の案内溝と案内凸条とのいずれか一方に前記第２押さえ板および前記嵌合凸部の案内溝と案内凸条とのいずれか他方を嵌入させ、前記スペーサおよび前記第１押さえ板の第１挿通孔に前記第２押さえ板の嵌合凸部を嵌合させることで、前記第１押さえ板の対向面全域と前記第２押さえ板の対向面全域とが当接しつつ、前記第１および第２押さえ板が回転不能に重なり合う請求項１または請求項２に記載の下地金網固定構造。
【請求項５】
前記第２押さえ板が、前記固定ビスと一体になって該固定ビスの頭部から径方向外方へ延びている請求項１または請求項２に記載の下地金網固定構造。
【請求項６】
前記第１および第２押さえ板の平面形状が、同形同大であって四角形、楕円形、円形のいずれかである請求項１ないし請求項５いずれかに記載の下地金網固定構造。
【請求項７】
前記第１および第２押さえ板が、前記下地金網の隣接する線条の２〜３本に当接することが可能な長さ寸法または面積を有する請求項１ないしは請求項６いずれかに記載の下地金網固定構造。
【請求項８】
前記下地金網固定構造では、複数個の前記スペーサが前記モルタル塗布面と前記下地金網との間に配置され、前記スペーサの個数を調節することで、前記モルタル塗布面に対する前記下地金網の離間寸法を調節するとともに、前記モルタル塗布面に対するモルタルの被りを調節する請求項１ないし請求項７いずれかに記載の下地金網固定構造。
【請求項９】
前記下地金網固定構造では、前記スペーサの軸方向の長さ寸法を調節することで、前記モルタル塗布面に対する前記下地金網の離間寸法を調節するとともに、前記モルタル塗布面に対するモルタルの被りを調節する請求項１ないし請求項８いずれかに記載の下地金網固定構造。
【請求項１０】
前記モルタルが、前記モルタル塗布面に吹き付ける樹脂モルタルまたはポリマーセメントモルタルであり、前記下地金網が、縦線条と横線条とから形成されたワイヤーメッシュである請求項８または請求項９に記載の下地金網固定構造。
【発明の詳細な説明】
【技術分野】
【０００１】
本発明は、構造物のモルタル塗布面に設置される下地金網と、下地金網をモルタル塗布面に固定する固定手段とから形成されたモルタル塗布面に対する下地金網固定構造に関する。
【背景技術】
【０００２】
一定間隔をあけて格子状に交差する縦線材と横線材とから形成され、縦線材および横線材が撚り線であるモルタル下地用ラスが開示されている（特許文献１参照）。モルタル下地用ラスは、建造物の外壁のモルタル塗布面に固定され、モルタル塗布面に塗布されたモルタルの強度を向上させ、外壁からのモルタルの剥落を防止するとともに、外壁に塗布したモルタルのひび割れを防止するために利用される。
【０００３】
モルタル下地用ラスを建造物の外壁のモルタル塗布面に固定するには、モルタル塗布面の複数箇所から外壁にＰレスアンカーをねじ込み、そのＰレスアンカーの頭部とモルタル下地用ラスの縦線材や横線材とを結束線（針金）を利用して連結する。Ｐレスアンカーの外壁へのねじ込み深さを調節することで、モルタル塗布面に対するモルタル下地用ラスの離間寸法を調節するとともに、モルタル塗布面に対するモルタルの被りを調節する。
【先行技術文献】
【特許文献】
【０００４】
【特許文献１】特開２０１４−１６９５４４号公報
【発明の概要】
【発明が解決しようとする課題】
【０００５】
モルタル下地用ラスとＰレスアンカーとを結束線（針金）を利用して連結するには、モルタル下地用ラスの縦線材や横線材に結束線を通すとともに、モルタル下地用ラスの縦線材や横線材をＰレスアンカーの頭部に位置させつつ、Ｐレスアンカーの頭部に結束線を巻き付けた後、結束線の端部どうしを結ぶ。このように、モルタル下地用ラスとＰレスアンカーとを結束線（針金）を介して連結するには相当の経験を要するとともに、熟練した作業者であっても、全てのＰレスアンカーにモルタル下地用ラスを連結するには多くの手間と時間とを必要としている。また、モルタル塗布面に対するモルタルの被りを確保するため、モルタル下地用ラスをモルタル塗布面から所定寸法離間させた状態でモルタル塗布面に固定するが、Ｐレスアンカーの外壁へのねじ込み深さを調節することで、モルタル塗布面に対するモルタル下地用ラスの離間寸法を調節しなければならず、ねじ込み深さの調節に手間を要するのみならず、ねじ込み深さの調節を作業者の経験や勘、目測に頼らざるを得ず、モルタル塗布面に対するモルタル下地用ラスの離間寸法が部分的に不均一になる場合があり、モルタルの被りを均一にすることができない。
【０００６】
本発明の目的は、経験を必要とせず、手間を要せず短時間に効率よく下地金網をモルタル塗布面に固定することができる下地金網固定構造を提供することにある。本発明の他の目的は、作業者の経験や勘に頼ることなく、モルタル塗布面に対する下地金網の離間寸法を均一にすることができ、モルタル塗布面に対するモルタルの被りを均一にすることができる下地金網固定構造を提供することにある。
【課題を解決するための手段】
【０００７】
前記課題を解決するための本発明の前提は、構造物のモルタル塗布面に設置される下地金網と、下地金網をモルタル塗布面に固定する固定手段とから形成されたモルタル塗布面に対する下地金網固定構造である。
【０００８】
前記前提における本発明の特徴は、固定手段が、モルタル塗布面と下地金網との間に位置するスペーサと、下地金網とスペーサとの間に位置する第１押さえ板と、下地金網の外側に位置して下地金網の線条を第１スペーサとともに挟み込む第２押さえ板と、モルタル塗布面から構造物に螺着される螺子部と下地金網の外側に露出する頭部とを有し、スペーサと第１および第２押さえ板とをモルタル塗布面に固定する固定ビスとから形成されていることにある。
【０００９】
本発明の一例としては、第１押さえ板がスペーサと一体になってスペーサの下地金網に対向する対向端部から径方向外方へ延びている。
【００１０】
本発明の他の一例としては、スペーサと第１押さえ板とが、固定ビスを挿通する第１挿通孔を有し、第２押さえ板が、固定ビスを挿通する第２挿通孔と、第２挿通孔の周縁から第１押さえ板に向かって延びていてスペーサおよび第１押さえ板の第１挿通孔に回転可能に挿入する挿入凸部とを有する。
【００１１】
本発明の他の一例としては、スペーサと第１押さえ板とが、案内溝と案内凸条とのいずれか一方が形成されて固定ビスの螺子部を挿通する第１挿通孔を有し、第２押さえ板が、固定ビスの螺子部を挿通する第２挿通孔と、第２挿通孔の周縁から第１押さえ板に向かって延びていて第１押さえ板の第１挿通孔に嵌合する嵌合凸部とを有し、第２押さえ板と嵌合凸部とには、案内溝と案内凸条とのいずれか他方が形成され、下地金網固定構造では、スペーサおよび第１押さえ板の案内溝と案内凸条とのいずれか一方に第２押さえ板および嵌合凸部の案内溝と案内凸条とのいずれか他方を嵌入させ、スペーサおよび第１押さえ板の第１挿通孔に第２押さえ板の嵌合凸部を嵌合させることで、第１押さえ板の対向面全域と第２押さえ板の対向面全域とが当接しつつ、第１および第２押さえ板が回転不能に重なり合う。
【００１２】
本発明の他の一例としては、第２押さえ板が固定ビスと一体になって固定ビスの頭部から径方向外方へ延びている。
【００１３】
本発明の他の一例としては、第１および第２押さえ板の平面形状が同形同大であって四角形、楕円形、円形のいずれかである。
【００１４】
本発明の他の一例としては、第１および第２押さえ板が下地金網の隣接する線条の２〜３本に当接することが可能な長さ寸法または面積を有する。
【００１５】
本発明の他の一例として、下地金網固定構造では、複数個のスペーサがモルタル塗布面と下地金網との間に配置され、スペーサの個数を調節することで、モルタル塗布面に対する下地金網の離間寸法を調節するとともに、モルタル塗布面に対するモルタルの被りを調節する。
【００１６】
本発明の他の一例として、下地金網固定構造では、スペーサの軸方向の長さ寸法を調節することで、モルタル塗布面に対する下地金網の離間寸法を調節するとともに、モルタル塗布面に対するモルタルの被りを調節する。
【００１７】
本発明の他の一例としては、モルタルがモルタル塗布面に吹き付ける樹脂モルタルまたはポリマーセメントモルタルであり、下地金網が縦線条と横線条とから形成されたワイヤーメッシュである。
【発明の効果】
【００１８】
本発明にかかる下地金網固定構造によれば、下地金網とスペーサとの間に位置する第１押さえ板と下地金網の外側に位置する第２押さえ板とで下地金網の線条を挟み込み、固定ビスによってスペーサと第１および第２押さえ板とがモルタル塗布面に固定されるから、結束線（針金）を利用して下地金網を固定ビスの頭部に連結する必要はなく、結束線を利用して下地金網と固定ビスとを連結する熟練の作業者でなくても、下地金網をモルタル塗布面に容易に固定することができ、作業者が手間を要せず短時間に効率よく下地金網をモルタル塗布面に固定することができる。下地金網固定構造は、スペーサによってモルタル塗布面に対する下地金網の離間寸法が確保されるから、固定ビスのねじ込み深さを調節する必要はなく、作業者の経験や勘、目測に頼らずに、モルタル塗布面に対する下地金網の離間寸法を均一にすることができ、モルタル塗布面に対するモルタルの被りを均一にすることができる。下地金網固定構造は、下地金網をモルタル塗布面に固定し、下地金網固定構造を含むモルタル塗布面にモルタルを塗布することで、構造物のモルタル塗布面（コンクリート表面）を増厚することができるとともに、モルタル塗布面と一体になったモルタルの強度や耐久性、耐荷性を向上させることができる。
【００１９】
第１押さえ板がスペーサと一体になってスペーサの下地金網に対向する対向端部から径方向外方へ延びている下地金網固定構造は、第１押さえ板がスペーサと一体となることで、スペーサをモルタル塗布面と下地金網との間に配置すると、第１押さえ板もスペーサとともに下地金網の内側に配置されるから、下地金網の内側にスペーサと第１押さえ板とを別々に配置する場合と比較し、それらを配置する手間を省くことができ、スペーサと一体の第１押さえ板と第２押さえ板とで下地金網の線条を確実に挟み込むことができる。下地金網固定構造は、固定ビスによってスペーサと一体の第１押さえ板と第２押さえ板とをモルタル塗布面に固定することで、第１押さえ板と第２押さえ板とで下地金網の線条を確実に挟み込むことができるから、熟練の作業者でなくても、下地金網をモルタル塗布面に手間を要せず容易に固定することができる。
【００２０】
スペーサと第１押さえ板とが固定ビスを挿通する第１挿通孔を有し、第２押さえ板が第２挿通孔の周縁から第１押さえ板に向かって延びていてスペーサおよび第１押さえ板の第１挿通孔に回転可能に挿入する挿入凸部を有する下地金網固定構造は、下地金網を挟んで第１押さえ板と第２押さえ板とを重ね合わせるときに、スペーサおよび第１押さえ板の第１挿通孔に第２押さえ板の挿入凸部を挿入することで、第１押さえ板に対する第２押さえ板のずれ動きを防ぐことができるから、第１押さえ板の位置に第２押さえ板を容易に配置することができ、第１押さえ板と第２押さえ板とで下地金網の線条を確実に挟み込むことができる。下地金網固定構造は、固定ビスによってスペーサと第１および第２押さえ板とをモルタル塗布面に固定することで、第１押さえ板と第２押さえ板とによって下地金網の線条を挟み込むことができるから、熟練の作業者でなくても、下地金網をモルタル塗布面に手間を要せず容易に固定することができる。
【００２１】
スペーサおよび第１押さえ板が案内溝と案内凸条とのいずれか一方が形成されて固定ビスの螺子部を挿通する第１挿通孔を有し、第２押さえ板が第２挿通孔の周縁から第１押さえ板に向かって延びていてスペーサおよび第１押さえ板の第１挿通孔に嵌合する嵌合凸部を有し、案内溝と案内凸条とのいずれか他方が第２押さえ板および嵌合凸部に形成され、スペーサおよび第１押さえ板の案内溝と案内凸条とのいずれか一方に第２押さえ板および嵌合凸部の案内溝と案内凸条とのいずれか他方を嵌入させ、スペーサおよび第１押さえ板の第１挿通孔に第２押さえ板の嵌合凸部を嵌合させることで、第１押さえ板の対向面全域と第２押さえ板の対向面全域とが当接しつつ、第１および第２押さえ板が回転不能に重なり合う下地金網固定構造は、下地金網を挟んで第１押さえ板と第２押さえ板とを重ね合わせるときに、スペーサおよび第１押さえ板の第１挿通孔の案内溝と案内凸条とのいずれか一方に第２押さえ板および嵌合凸部の案内溝と案内凸条とのいずれか他方が嵌入しつつ、スペーサおよび第１押さえ板の第１挿通孔に第２押さえ板の嵌合凸部が嵌合することで、第１押さえ板に対して第２押さえ板が回転不能になり、第１押さえ板の対向面全域と第２押さえ板の対向面全域とを一致（当接）させた状態で第１および第２押さえ板を重ね合わせることができ、第１および第２押さえ板で下地金網の線条を確実に挟み込むことができる。下地金網固定構造は、モルタル塗布面に対する第１および第２押さえ板の影を最小限にすることができるから、モルタル塗布面と第１および第２押さえ板との間の空間にモルタルを確実に充填することができる。
【００２２】
第２押さえ板が固定ビスと一体になって固定ビスの頭部から径方向外方へ延びている下地金網固定構造は、第２押さえ板が固定ビスと一体となることで、固定ビスをモルタル塗布面から構造物にねじ込んで行くと、固定ビスとともに第２押さえ板が第１押さえ板に密着し、固定ビスによってスペーサと第１および第２押さえ板とがモルタル塗布面に固定されるから、第２押さえ板を第１押さえ板に重ね合わせる手間を省くことができるとともに、第１押さえ板と固定ビスと一体の第２押さえ板とで下地金網の線条を確実に挟み込むことができる。下地金網固定構造は、第１押さえ板と固定ビスと一体の第２押さえ板とをモルタル塗布面に固定することで、第１押さえ板と第２押さえ板とで下地金網の線条を確実に挟み込むことができるから、熟練の作業者でなくても、下地金網をモルタル塗布面に手間を要せず容易に固定することができる。
【００２３】
第１および第２押さえ板の平面形状が同形同大であって四角形、楕円形、円形のいずれかである下地金網固定構造は、固定ビスによって第１押さえ板と第２押さえ板とがモルタル塗布面に固定されたときに、同形同大であって平面形状が四角形、楕円形、円形のいずれかである第１および第２押さえ板によって下地金網の線条が確実に挟み込まれるから、第１押さえ板と第２押さえ板とを利用して下地金網をモルタル塗布面に確実に固定することができ、作業者が下地金網をモルタル塗布面に手間を要せず容易に固定することができる。
【００２４】
第１および第２押さえ板が下地金網の隣接する線条の２〜３本に当接することが可能な長さ寸法または面積を有する下地金網固定構造は、固定ビスによって第１押さえ板と第２押さえ板とがモルタル塗布面に固定されたときに、下地金網の隣接する線条の２〜３本に当接することが可能な長さ寸法または面積を有する同形同大の第１および第２押さえ板によって下地金網の線条が確実に挟み込まれるから、第１押さえ板と第２押さえ板とを利用して下地金網をモルタル塗布面に確実に固定することができ、作業者が下地金網をモルタル塗布面に手間を要せず容易に固定することができる。
【００２５】
複数個のスペーサがモルタル塗布面と下地金網との間に配置され、スペーサの個数を調節することで、モルタル塗布面に対する下地金網の離間寸法を調節するとともに、モルタル塗布面に対するモルタルの被りを調節する下地金網固定構造は、モルタル塗布面と下地金網との間に配置するスペーサの個数によってモルタル塗布面に対する下地金網の離間寸法を自由に調節することができ、固定ビスのねじ込み深さを調節する必要はなく、作業者の経験や勘、目測に頼らずに、モルタル塗布面に対する下地金網の離間寸法を容易に調節することができるとともに、モルタル塗布面に対するモルタルの被りを調節することができる。下地金網固定構造は、モルタル塗布面と下地金網との間に配置するスペーサの個数を統一することで、モルタル塗布面に対する下地金網全体の離間寸法を均一にすることができ、モルタル塗布面に対するモルタル全体の被りを均一にすることができる。
【００２６】
スペーサの軸方向の長さ寸法を調節することで、モルタル塗布面に対する下地金網の離間寸法を調節するとともに、モルタル塗布面に対するモルタルの被りを調節する下地金網固定構造は、モルタル塗布面と下地金網との間に配置するスペーサの軸方向の長さ寸法を調節することによってモルタル塗布面に対する下地金網の離間寸法を自由に調節することができ、固定ビスのねじ込み深さを調節する必要はなく、作業者の経験や勘、目測に頼らずに、モルタル塗布面に対する下地金網の離間寸法を容易に調節することができるとともに、モルタル塗布面に対するモルタルの被りを調節することができる。下地金網固定構造は、モルタル塗布面と下地金網との間に配置するスペーサの軸方向の長さ寸法を統一することで、モルタル塗布面に対する下地金網全体の離間寸法を均一にすることができ、モルタル塗布面に対するモルタル全体の被りを均一にすることができる。
【００２７】
モルタルがモルタル塗布面に吹き付ける樹脂モルタルまたはポリマーセメントモルタルであり、下地金網が縦線条と横線条とから形成されたワイヤーメッシュである下地金網固定構造は、モルタルがモルタル塗布面に吹き付ける樹脂モルタルまたはポリマーセメントモルタルであったとしても、第１押さえ板と第２押さえ板とを利用してワイヤーメッシュをモルタル塗布面に固定することで、モルタル塗布面に吹き付けられた樹脂モルタルまたはポリマーセメントモルタルの強度や耐久性、耐荷性を向上させることができ、モルタル塗布面からの樹脂モルタルまたはポリマーセメントモルタルの剥落を防止することができるとともに、モルタル塗布面に吹き付けられた樹脂モルタルまたはポリマーセメントモルタルのひび割れを防止することができる。下地金網固定構造は、それをモルタル塗布面に固定し、それに樹脂モルタルまたはポリマーセメントモルタルを吹き付けることで、構造物のモルタル塗布面（コンクリート表面）を確実に増厚することができる。
【図面の簡単な説明】
【００２８】
【図１】一例として示す下地金網固定構造の斜視図。
【図２】下地金網固定構造の側面図。
【図３】下地金網固定構造の各構成部材を示す分解斜視図。
【図４】他の一例として示す下地金網固定構造の側面図。
【図５】図４の下地金網固定構造の各構成部材を示す分解斜視図。
【図６】他の一例として示す下地金網固定構造の側面図。
【図７】図６の下地金網固定構造の各構成部材を示す分解斜視図。
【図８】他の一例として示す下地金網固定構造の側面図。
【図９】図８の下地金網固定構造の各構成部材を示す分解斜視図。
【図１０】図８の下地金網固定構造の各構成部材を示す分解側面図。
【図１１】一例として示す下地金網固定構造の斜視図。
【図１２】図１１の下地金網固定構造の側面図。
【図１３】図１１の下地金網固定構造の各構成部材を示す分解斜視図。
【図１４】図１１の下地金網固定構造の各構成部材を示す分解側面図。
【図１５】一例として示す下地金網固定構造の各構成部材を示す分解斜視図。
【発明を実施するための形態】
【００２９】
一例として示す下地金網固定構造１０Ａの斜視図である図１等の添付の図面を参照し、本発明にかかる下地金網固定構造の詳細を説明すると、以下のとおりである。なお、図２は、下地金網固定構造１０Ａの側面図であり、図３は、下地金網固定構造１０Ａの各構成部材を示す分解斜視図である。図１は、構造物１１のモルタル塗布面１２に樹脂モルタル１３やポリマーセメントモルタル１３を吹き付ける以前の状態を示す。図２では、下地金網固定構造１０Ａの各構成部材を実線で示す。図１，３では、構造物１１のモルタル塗布面１２を省略している。図２では、軸方向を矢印Ａで示し、径方向を矢印Ｂで示す。
【００３０】
下地金網固定構造１０Ａは、構造物１１のモルタル塗布面１２に樹脂モルタル１３を吹き付けるモルタル吹付工法や構造物１１のモルタル塗布面１２にポリマーセメントモルタル１３を吹き付けるモルタル増厚工法において利用される。なお、樹脂モルタル１３やポリマーセメントモルタル１３以外のモルタルのモルタル塗布面１２へのコテ塗りによる人力増厚施工においても利用することができる。モルタル塗布面１２（コンクリート表面）には、既設建物（建造物）の壁面や床版面、桁面、梁面、柱面等がある。
【００３１】
下地金網固定構造１０Ａは、構造物１１のモルタル塗布面１２に設置されるワイヤーメッシュ１４（下地金網）と、ワイヤーメッシュ１４をモルタル塗布面１２に固定する固定手段とから形成されている。下地金網としては、ワイヤーメッシュ１４の他に、モルタル下地用ラスを使用することもできる。ワイヤーメッシュ１４は、鉄またはステンレスから作られ、複数本の縦線条１５と複数本の横線条１６とから形成されている。ワイヤーメッシュ１４では、それら縦線条１５とそれら横線条１６とが略直角に交差し、それら線条１５，１６に囲繞された四角形の複数の開口１７が画成されている。
【００３２】
固定手段は、スペーサ１８と第１および第２押さえ板１９，２０とＰレスアンカー２１（固定ビス）とから形成されている。スペーサ１８は、金属（鋼材や鉄、ステンレス、アルミ、真鍮、合金等）または合成樹脂から作られた六角ナットが使用されている。六角ナットには、Ｐレスアンカー２１を螺着する螺着孔２２（第１挿通孔）が作られている。スペーサ１８としては、六角ナットの他に、Ｐレスアンカー２１を挿通する挿通孔（第１挿通孔）またはＰレスアンカー２１を螺着する螺着孔（第１挿通孔）が作られた角柱状または円柱状の金属部材または合成樹脂部材を使用することもできる。スペーサ１８は、モルタル塗布面１２とワイヤーメッシュ１４との間に位置し、ワイヤーメッシュ１４をモルタル塗布面１２から所定寸法離間させる。
【００３３】
第１押さえ板１９は、金属（鋼材や鉄、ステンレス、アルミ、真鍮、合金等）または合成樹脂から作られた所定厚みを有する板材であり、その平面形状が一方向へ長い所定面積の長方形に成型されている。第１押さえ板１９は、その縦寸法Ｌ１が２５〜３５ｍｍの範囲、その横寸法Ｌ２が１０〜１５ｍｍの範囲にあり、ワイヤーメッシュ１４の隣接する縦線条１５と隣接する横線条１６とのうちの少なくとも一方の２〜３本に当接することが可能な長さ寸法Ｌ１または面積を有する。第１押さえ板１９には、Ｐレスアンカー２１を挿通する挿通孔２３（第１挿通孔）またはＰレスアンカー２１を螺着する螺着孔２３（第１挿通孔）が穿孔されている。
【００３４】
なお、第１押さえ板１９の平面形状は、長方形の他に、所定面積の四角形や楕円形、円形であってもよい。第１押さえ板１９の平面形状が四角形や楕円形、円形である場合において、第１押さえ板１９はワイヤーメッシュ１４の隣接する縦線条１４と隣接する横線条１６とのうちの少なくとも一方の２〜３本に当接することが可能な長さ寸法Ｌ１または面積を有する。第１押さえ板１９は、ワイヤーメッシュ１４とスペーサ１８との間に位置し、第２押さえ板２０とともにワイヤーメッシュ１４の縦線条１５（線条）や横線条１６（線条）を挟み込む。
【００３５】
第２押さえ板２０は、金属（鋼材や鉄、ステンレス、アルミ、真鍮、合金等）または合成樹脂から作られた所定厚みを有する板材であり、その平面形状が一方向へ長い所定面積を有する長方形に成型されている。第２押さえ板２０は、その縦寸法Ｌ３が２５〜３５ｍｍの範囲、その横寸法Ｌ４が１０〜１５ｍｍの範囲にあり、ワイヤーメッシュ１４の隣接する縦線条１５と隣接する横線条１６とのうちの少なくとも一方の２〜３本に当接することが可能な長さ寸法Ｌ３または面積を有する。
【００３６】
第２押さえ板２０は、その平面形状が第１押さえ板１９のそれと同形同大である。したがって、第２押さえ板２０は、その縦寸法Ｌ３と横寸法Ｌ４とが第１押さえ板１９のそれらと同一である。第２押さえ板２０には、Ｐレスアンカー２１を挿通する挿通孔２４（第２挿通孔）またはＰレスアンカー２１を螺着する螺着孔２４（第２挿通孔）が穿孔されている。
【００３７】
なお、第２押さえ板２０の平面形状は、第１押さえ板１９と同形同大であれば、長方形の他に、所定面積を有する四角形や楕円形、円形であってもよい。第２押さえ板２０の平面形状が四角形や楕円形、円形である場合において、第２押さえ板２０はワイヤーメッシュ１４の隣接する縦線条１５と隣接する横線条１６とのうちの少なくとも一方の２〜３本に当接することが可能な長さ寸法Ｌ３または面積を有する。第２押さえ板２０は、ワイヤーメッシュ１４の外側に位置し、第１押さえ板１９とともにワイヤーメッシュ１４の縦線条１５（線条）や横線条１６（線条）を挟み込む。
【００３８】
Ｐレスアンカー２１（固定ビス）は、金属（鋼材や鉄、ステンレス、アルミ、真鍮、合金等）または合成樹脂から作られ、螺子が形成された螺子部２５とワイヤーメッシュ１４（縦線条１５および横線条１６）の外側に露出する頭部２６とを有する。Ｐレスアンカー２１は、その螺子部２５がモルタル塗布面１２から構造物１１に螺着され、スペーサ１８と第１および第２押さえ板１９，２０とをモルタル塗布面１２（構造物１１）に強固に固定する。
【００３９】
下地金網固定構造１０Ａの施工手順は、以下のとおりである。下地金網固定構造１０Ａの施工では、事前に複数のワイヤーメッシュ１４、複数個のスペーサ１８、複数枚の第１および第２押さえ板１９，２０、複数本のＰレスアンカー２１が用意される。構造物１１のモルタル塗布面１２から塗膜を剥離するとともに、脆弱部を撤去した後、モルタル塗布面１２を目荒らしする。次に、水圧洗浄によってモルタル塗布面１２を洗浄した後、モルタル塗布面１２にそれらＰレスアンカー２１を螺着する複数の螺着位置を位置決め（アンカー墨出し）する。モルタル塗布面１２の位置決めしたそれら螺着位置にＰレスアンカー２１を螺着する所定深さのアンカー孔２７を穿孔する。
【００４０】
アンカー孔２７を穿孔した後、ワイヤーメッシュ１４をモルタル塗布面１２に配置しつつ、スペーサ１８（六角ナット）と第１押さえ板１９とをワイヤーメッシュ１４の開口１７からモルタル塗布面１２に向かって挿入し、スペーサ１８と第１押さえ板１９とをモルタル塗布面１２とワイヤーメッシュ１４との間に配置する。なお、第１押さえ板１９は、ワイヤーメッシュ１４とスペーサ１８との間に配置される。次に、第２押さえ板２０を第１押さえ板１９の上に重ね合わせるように、ワイヤーメッシュ１４の外側に第２押さえ板２０を配置し、第１押さえ板１９と第２押さえ板２０とでワイヤーメッシュ１４の縦線条１５と横線条１６とのうちの少なくとも一方を挟み込む。
【００４１】
第１押さえ板１９と第２押さえ板２０とを重ね合わせた後、Ｐレスアンカー２１の螺子部２５を第１および第２押さえ板１９，２０の挿通孔２３，２４（第１および第２挿通孔）に挿通し、または、Ｐレスアンカー２１の螺子部２５を第１および第２押さえ板１９，２０の螺着孔２３，２４（第１および第２挿通孔）に螺着するとともに、Ｐレスアンカー２１の螺子部２５をスペーサ１８（六角ナット）の螺着孔２２（第１挿通孔）に螺着する。さらに、Ｐレスアンカー２１の螺子部２５をモルタル塗布面１１に穿孔されたアンカー孔２７に螺着する。
【００４２】
Ｐレスアンカー２１の螺子部２５をアンカー孔２７にねじ込むと、Ｐレスアンカー２１の螺子部２５がモルタル塗布面１２から構造物１１に次第に進入し、Ｐレスアンカー２１によってスペーサ１８と第１および第２押さえ板１９，２０とがモルタル塗布面１２（構造物１１）に強固に固定されるとともに、第１および第２押さえ板１９，２０がワイヤーメッシュ１４に密着し、図１，２に示すように、ワイヤーメッシュ１４の縦線条１５と横線条１６とのうちの少なくとも一方が第１押さえ板１９と第２押さえ板２０とに挟み込まれた状態でワイヤーメッシュ１４がモルタル塗布面１２（構造物１１）に固定される。
【００４３】
なお、第１および第２押さえ板１９，２０がワイヤーメッシュ１４の隣接する縦線条１５と隣接する横線条１６とのうちの少なくとも一方の２〜３本に当接することが可能な長さ寸法Ｌ１，Ｌ３または面積を有するから、ワイヤーメッシュ１４の縦線条１５と横線条１６とのうちの少なくとも一方の２〜３本が第１および第２押さえ板１９，２０によって確実に挟み込まれる。
【００４４】
既述の手順で、モルタル塗布面１２の全ての螺着位置において、Ｐレスアンカー２１と第１および第２押さえ板１９，２０とを利用してワイヤーメッシュ１４をモルタル塗布面１２に固定する。ワイヤーメッシュ１４をモルタル塗布面１２に固定すると、ワイヤーメッシュ１４がスペーサ１８の軸方向の長さの分だけモルタル塗布面１２から離間する。それらスペーサ１８の軸方向の長さが同一であるから、モルタル塗布面１２に対するワイヤーメッシュ１４全体の離間寸法が均一になる。
【００４５】
Ｐレスアンカー２１と第１および第２押さえ板１９，２０とによってモルタル塗布面１２にワイヤーメッシュ１４を固定した後、モルタル塗布面１２に樹脂モルタル１３を吹き付ける。または、モルタル塗布面１２にポリマーセメントモルタル１３を吹き付ける。モルタル塗布面１２に樹脂モルタル１３またはポリマーセメントモルタル１３を吹き付けると、スペーサ１８やＰレスアンカー２１、第１および第２押さえ板１９，２０、ワイヤーメッシュ１４がモルタル１３に被覆され、それらがモルタル１３に埋没する。モルタル１３を所定時間養生することで、構造物１１のモルタル塗布面１２にモルタル１３が一体化する。なお、樹脂モルタル１３やポリマーセメントモルタル１３以外のモルタルをコテ塗りによってモルタル塗布面１２に塗布することもできる。
【００４６】
下地金網固定構造１０Ａは、ワイヤーメッシュ１４（下地金網）とスペーサ１８（六角ナット）との間に位置する第１押さえ板１９とワイヤーメッシュ１４の外側に位置する第２押さえ板２０とでワイヤーメッシュ１４の縦線条１５と横線条１６とのうちの少なくとも一方を挟み込み、Ｐレスアンカー２１（固定ビス）によってスペーサ１８と第１および第２押さえ板１９，２０とがモルタル塗布面１２に固定されるから、結束線（針金）を利用してワイヤーメッシュ１４をＰレスアンカー２１の頭部２６に連結する必要はなく、結束線を利用してワイヤーメッシュ１４とＰレスアンカー２１とを連結する熟練の作業者でなくても、ワイヤーメッシュ１４を構造物１１のモルタル塗布面１２に容易に固定することができ、作業者が手間を要せず短時間に効率よくワイヤーメッシュ１４をモルタル塗布面１２に固定することができる。
【００４７】
下地金網固定構造１０Ａは、Ｐレスアンカー２１によって第１押さえ板１９と第２押さえ板２０とがモルタル塗布面１２に固定されたときに、ワイヤーメッシュ１４の隣接する縦線条１５と隣接する横線条１６とのうちの少なくとも一方の２〜３本に当接することが可能な長さ寸法Ｌ１，Ｌ３または面積を有する同形同大の第１および第２押さえ板１９，２０によってワイヤーメッシュ１４のそれら線条１５，１６が確実に挟み込まれるから、第１押さえ板１９と第２押さえ板２０とを利用してワイヤーメッシュ１４をモルタル塗布面１２に確実に固定することができる。
【００４８】
下地金網固定構造１０Ａは、スペーサ１８によってモルタル塗布面１２に対するワイヤーメッシュ１４の離間寸法が確保されるから、Ｐレスアンカー２１のねじ込み深さを調節する必要はなく、作業者の経験や勘、目測に頼らずに、モルタル塗布面１２に対するワイヤーメッシュ１４の離間寸法を均一にすることができ、モルタル塗布面１２に対するモルタル１３の被りを均一にすることができる。下地金網固定構造１０Ａは、ワイヤーメッシュ１４をモルタル塗布面１２に固定し、下地金網固定構造１０Ａを含むモルタル塗布面１２にモルタル１３を塗布することで、構造物１１のモルタル塗布面１２（コンクリート表面）を増厚することができるとともに、モルタル塗布面１２と一体になったモルタル１３の強度や耐久性、耐荷性を向上させることができる。
【００４９】
図４は、他の一例として示す下地金網固定構造１０Ｂの側面図であり、図５は、下地金網固定構造１０Ｂの各構成部材を示す分解斜視図である。図４では、下地金網固定構造１０Ｂの各構成部材を実線で示す。図５では、構造物１１のモルタル塗布面１２を省略している。図４では、軸方向を矢印Ａで示し、径方向を矢印Ｂで示す。
【００５０】
下地金網固定構造１０Ｂが図１のそれと異なるところは、複数個のスペーサ１８ａ〜１８ｃがモルタル塗布面１２とワイヤーメッシュ１４との間に位置している点にある。下地金網固定構造１０Ｂのその他の構成は図１の下地金網固定構造１０Ａのそれらと同一であるから、図１と同一の符号を付すとともに、図１の下地金網固定構造１０Ａの説明を援用することで、下地金網固定構造１０Ｂのその他の構成の詳細な説明は省略する。
【００５１】
下地金網固定構造１０Ｂは、構造物１１のモルタル塗布面１２に設置されるワイヤーメッシュ１４（下地金網）と、ワイヤーメッシュ１４をモルタル塗布面１２に固定する固定手段とから形成されている。固定手段は、スペーサ１８ａ〜１８ｃと第１および第２押さえ板１９，２０とＰレスアンカー２１（固定ビス）とから形成されている。ワイヤーメッシュ１４や第１および第２押さえ板１９，２０、Ｐレスアンカー２１は、図１の下地金網固定構造１０Ａのそれらと同一である。
【００５２】
スペーサ１８ａ〜１８ｃは、金属（鋼材や鉄、ステンレス、アルミ、真鍮、合金等）または合成樹脂から作られた六角ナットが使用されている。それら六角ナットには、Ｐレスアンカー２１を螺着する螺着孔２２ａ〜２２ｃ（第１挿通孔）が作られている。それらスペーサ１８ａ〜１８ｃは、モルタル塗布面１２とワイヤーメッシュ１４との間に位置し、軸方向へ並んでいる。スペーサ１８ａ〜１８ｃは、ワイヤーメッシュ１４をモルタル塗布面１２から所定寸法離間させる。
【００５３】
なお、スペーサ１８ａ〜１８ｃの個数は３個に限定されず、２個または４個以上のスペーサ１８がモルタル塗布面１２とワイヤーメッシュ１４との間に位置し、それらスペーサ１８が軸方向へ並んでいてもよい。スペーサ１８の個数を調節することで、モルタル塗布面１２に対するワイヤーメッシュ１４の離間寸法を調節するとともに、モルタル塗布面１２に対するモルタル１３の被りを調節する。
【００５４】
下地金網固定構造１０Ｂの施工では、アンカー孔２７を穿孔した後、ワイヤーメッシュ１４をモルタル塗布面１２に配置しつつ、スペーサ１８ａ〜１８ｃと第１押さえ板１９とをワイヤーメッシュ１４の開口１７からモルタル塗布面１２に向かって挿入し、スペーサ１８ａ〜１８ｃを軸方向に並べ、スペーサ１８ａ〜１８ｃと第１押さえ板１９とをモルタル塗布面１２とワイヤーメッシュ１４との間に配置する。
【００５５】
ワイヤーメッシュ１４の外側に第２押さえ板２０を配置し、第１押さえ板１９と第２押さえ板２０とを重ね合わせた後、Ｐレスアンカー２１の螺子部２５を第１および第２押さえ板１９，２０の挿通孔２３，２４（第１および第２挿通孔）に挿通し、または、Ｐレスアンカー２１の螺子部２５を第１および第２押さえ板１９，２０の螺着孔２３，２４（第１および第２挿通孔）に螺着するとともに、Ｐレスアンカー２１の螺子部２５をスペーサ１８ａ〜１８ｃの螺着孔２２ａ〜２２ｃ（第１挿通孔）に螺着する。さらに、Ｐレスアンカー２１の螺子部２５をモルタル塗布面１１に穿孔されたアンカー孔２７に螺着する。
【００５６】
螺子部２５がアンカー孔２７に螺着されたＰレスアンカー２１によって第１および第２押さえ板１９，２０がワイヤーメッシュ１４に密着し、Ｐレスアンカー２１によってスペーサ１８ａ〜１８ｃと第１および第２押さえ板１９，２０とがモルタル塗布面１２（構造物１１）に強固に固定され、図４に示すように、ワイヤーメッシュ１４の縦線条１５と横線条１６とのうちの少なくとも一方が第１押さえ板１９と第２押さえ板２０とに挟み込まれた状態でワイヤーメッシュ１４がモルタル塗布面１２（構造物１１）に固定される。次に、モルタル塗布面１２に樹脂モルタル１３またはポリマーセメントモルタル１３を吹き付ける。あるいは、モルタルをコテ塗りによってモルタル塗布面１２に塗布する。
【００５７】
下地金網固定構造１０Ｂは、図１の下地金網固定構造１０Ａが有する効果に加え、以下の効果を有する。下地金網固定構造１０Ｂは、モルタル塗布面１２とワイヤーメッシュ１４（下地金網）との間に配置するスペーサ１８ａ〜１８ｃの個数を調節することによって、モルタル塗布面１２に対するワイヤーメッシュ１４の離間寸法を自由に調節することができ、Ｐレスアンカー２１（固定ビス）のねじ込み深さを調節する必要はなく、作業者の経験や勘、目測に頼らずに、モルタル塗布面１２に対するワイヤーメッシュ１４の離間寸法を容易に調節することができるとともに、モルタル塗布面１２に対するモルタル１３の被りを調節することができる。下地金網固定構造１０Ｂは、モルタル塗布面１２とワイヤーメッシュ１４との間に配置するスペーサ１８ａ〜１８ｃの個数を統一することで、モルタル塗布面１２に対するワイヤーメッシュ１４全体の離間寸法を均一にすることができ、モルタル塗布面１２に対するモルタル１３全体の被りを均一にすることができる。
【００５８】
図６は、他の一例として示す下地金網固定構造１０Ｃの側面図であり、図７は、下地金網固定構造１０Ｃの各構成部材を示す分解斜視図である。図６では、下地金網固定構造１０Ｃの各構成部材を実線で示す。図７では、構造物１１のモルタル塗布面１２を省略している。図６では、軸方向を矢印Ａで示し、径方向を矢印Ｂで示す。
【００５９】
下地金網固定構造１０Ｃが図１のそれと異なるところは、スペーサ１８と第１押さえ板１９とが一体になっている点にある。下地金網固定構造１０Ｃのその他の構成は図１の下地金網固定構造１０Ａのそれらと同一であるから、図１と同一の符号を付すとともに、図１の下地金網固定構造１０Ａの説明を援用することで、下地金網固定構造１０Ｃのその他の構成の詳細な説明は省略する。
【００６０】
下地金網固定構造１０Ｃは、構造物１１のモルタル塗布面１２に設置されるワイヤーメッシュ１４（下地金網）と、ワイヤーメッシュ１４をモルタル塗布面１２に固定する固定手段とから形成されている。固定手段は、スペーサ１８および第１押さえ板１９と第２押さえ板２０とＰレスアンカー２１（固定ビス）とから形成されている。ワイヤーメッシュ１４や第２押さえ板２０、Ｐレスアンカー２１は、図１の下地金網固定構造１０Ａのそれらと同一である。
【００６１】
スペーサ１８と第１押さえ板１９とは、それらが一体（一体成型）に作られている。スペーサ１８と第１押さえ板１９とは、金属（鋼材や鉄、ステンレス、アルミ、真鍮、合金等）または合成樹脂から作られている。スペーサ１８は、軸方向へ長い円筒状に成形され、その頂部（スペーサ１８のワイヤーメッシュ１４（下地金網）に対向する対向端部）に第１押さえ板１９が形成されている。スペーサ１８には、Ｐレスアンカー２１を螺着する螺着孔２２（第１挿通孔）またはＰレスアンカー２１を挿通する挿通孔２２（第１挿通孔）が作られている。スペーサ１８の軸方向の長さ寸法Ｌ５を調節することで、モルタル塗布面１２に対するワイヤーメッシュ１４の離間寸法を調節するとともに、モルタル塗布面１２に対するモルタル１３の被りを調節する。
【００６２】
第１押さえ板１９は、スペーサ１８の頂部から径方向外方へ延びている。第１押さえ板１９は、その平面形状が第２押さえ板２０のそれと同形同大である。第１押さえ板１９は、ワイヤーメッシュ１４の隣接する縦線条１５と隣接する横線条１６とのうちの少なくとも一方の２〜３本に当接することが可能な長さ寸法Ｌ１または面積を有する。第１押さえ板１９には、Ｐレスアンカー２１を挿通する挿通孔２３（第１挿通孔）またはＰレスアンカー２１を螺着する螺着孔２３（第１挿通孔）が穿孔されている。
【００６３】
下地金網固定構造１０Ｃの施工では、アンカー孔２７を穿孔した後、ワイヤーメッシュ１４をモルタル塗布面１２に配置しつつ、一体成型されたスペーサ１８および第１押さえ板１９をワイヤーメッシュ１４の開口１７からモルタル塗布面１２に向かって挿入し、スペーサ１８および第１押さえ板をモルタル塗布面１２とワイヤーメッシュ１４との間に配置する。
【００６４】
ワイヤーメッシュ１４の外側に第２押さえ板２０を配置し、第１押さえ板１９の上に第２押さえ板２０を重ね合わせた後、Ｐレスアンカー２１の螺子部２５を第２押さえ板２０の挿通孔２４（第２挿通孔）に挿通し、または、Ｐレスアンカー２１の螺子部２５を第２押さえ板２０の螺着孔２４（第２挿通孔）に螺着するとともに、Ｐレスアンカー２１の螺子部２５を第１押さえ板１９およびスペーサ１８の挿通孔２２，２３（第１挿通孔）に挿通し、または、Ｐレスアンカー２１の螺子部２５を第１押さえ板１９およびスペーサ１８の螺着孔２２，２３（第１挿通孔）に螺着する。さらに、Ｐレスアンカー２１の螺子部２５をモルタル塗布面１１に穿孔されたアンカー孔２７に螺着する。
【００６５】
螺子部２５がアンカー孔２７に螺着されたＰレスアンカー２１によって第１および第２押さえ板１９，２０がワイヤーメッシュ１４に密着し、Ｐレスアンカー２１によってスペーサ１８および第１押さえ板１９と第２押さえ板２０とがモルタル塗布面１２（構造物１１）に強固に固定され、図６に示すように、ワイヤーメッシュ１４の縦線条１５と横線条１６とのうちの少なくとも一方が第１押さえ板１９と第２押さえ板２０とに挟み込まれた状態でワイヤーメッシュ１４がモルタル塗布面１２（構造物１１）に固定される。次に、モルタル塗布面１２に樹脂モルタル１３またはポリマーセメントモルタル１３を吹き付ける。あるいは、モルタルをコテ塗りによってモルタル塗布面１２に塗布する。
【００６６】
下地金網固定構造１０Ｃは、図１の下地金網固定構造１０Ａが有する効果に加え、以下の効果を有する。下地金網固定構造１０Ｃは、第１押さえ板１９がスペーサ１８と一体となることで、スペーサ１８をモルタル塗布面１２とワイヤーメッシュ１４（下地金網）との間に配置すると、第１押さえ板１９もスペーサ１８とともにワイヤーメッシュ１４の内側に配置されるから、ワイヤーメッシュ１４の内側にスペーサ１８と第１押さえ板１９とを別々に配置する場合と比較し、それらを配置する手間を省くことができ、スペーサ１８と一体の第１押さえ板１９と第２押さえ板２０とでワイヤーメッシュ１４の縦線条１５や横線条１６を確実に挟み込むことができる。
【００６７】
下地金網固定構造１０Ｃは、モルタル塗布面１２とワイヤーメッシュ１４との間に配置するスペーサ１８の軸方向の長さ寸法Ｌ５を調節することによってモルタル塗布面１２に対するワイヤーメッシュ１４の離間寸法を自由に調節することができ、Ｐレスアンカー２１のねじ込み深さを調節する必要はなく、作業者の経験や勘、目測に頼らずに、モルタル塗布面１２に対するワイヤーメッシュ１４の離間寸法を容易に調節することができるとともに、モルタル塗布面１２に対するモルタル１３の被りを調節することができる。下地金網固定構造１０Ｃは、モルタル塗布面１２とワイヤーメッシュ１４との間に配置するスペーサ１８の軸方向の長さ寸法Ｌ５を統一することで、モルタル塗布面１２に対するワイヤーメッシュ１４全体の離間寸法を均一にすることができ、モルタル塗布面１２に対するモルタル１３全体の被りを均一にすることができる。
【００６８】
図８は、他の一例として示す下地金網固定構造１０Ｄの側面図であり、図９は、下地金網固定構造１０Ｄの各構成部材を示す分解斜視図である。図１０は、下地金網固定構造１０Ｄの各構成部材を示す分解側面図である。図８では、下地金網固定構造１０Ｄの各構成部材を実線で示す。図９，１０では、構造物１１のモルタル塗布面１２を省略し、Ｐレスアンカー２１の図示を省略している。図８では、軸方向を矢印Ａで示し、径方向を矢印Ｂで示す。
【００６９】
下地金網固定構造１０Ｄが図１のそれと異なるところは、スペーサ１８と第１押さえ板１９とが一体になっている点、第２押さえ板２０がスペーサ１８および第１押さえ板１９の挿通孔２２，２３（第１挿通孔）に挿入する挿入凸部２８を有する点にある。下地金網固定構造１０Ｄのその他の構成は図１の下地金網固定構造１０Ａのそれらと同一であるから、図１と同一の符号を付すとともに、図１の下地金網固定構造１０Ａの説明を援用することで、下地金網固定構造１０Ｄのその他の構成の詳細な説明は省略する。
【００７０】
下地金網固定構造１０Ｄは、構造物１１のモルタル塗布面１２に設置されるワイヤーメッシュ１４（下地金網）と、ワイヤーメッシュ１４をモルタル塗布面１２に固定する固定手段とから形成されている。固定手段は、スペーサ１８および第１押さえ板１９と第２押さえ板２０とＰレスアンカー２１（固定ビス）とから形成されている。ワイヤーメッシュ１４やＰレスアンカー２１は、図１の下地金網固定構造１０Ａのそれらと同一である。
【００７１】
スペーサ１８と第１押さえ板１９とは、下地金網固定構造１０Ｃと同様に、それらが一体（一体成型）に作られている。スペーサ１８は、軸方向へ長い円筒状に成形され、その頂部（スペーサ１８のワイヤーメッシュ１４（下地金網）に対向する対向端部）に第１押さえ板１９が形成されている。スペーサ１８には、Ｐレスアンカー２１を挿通する挿通孔２２（第１挿通孔）が穿孔されている。スペーサ１８の軸方向の長さ寸法Ｌ５を調節することで、モルタル塗布面１２に対するワイヤーメッシュ１４の離間寸法を調節するとともに、モルタル塗布面１２に対するモルタル１３の被りを調節する。
【００７２】
第１押さえ板１９は、スペーサ１８の頂部から径方向外方へ延びている。第１押さえ板１９は、その平面形状が第２押さえ板２０のそれと同形同大である。第１押さえ板１９は、ワイヤーメッシュ１４の隣接する縦線条１５と隣接する横線条１６とのうちの少なくとも一方の２〜３本に当接することが可能な長さ寸法Ｌ１または面積を有する。第１押さえ板１９には、Ｐレスアンカー２１を挿通する挿通孔２３（第１挿通孔）が穿孔されている。
【００７３】
第２押さえ板２０には、Ｐレスアンカー２１を挿通する挿通孔２４（第２挿通孔）が穿孔され、挿通孔２４の周縁から第１押さえ板１９に向かって軸方向へ延びる挿入凸部２８が形成されている。挿入凸部２８には、Ｐレスアンカー２１を挿通する挿通孔２９（第２挿通孔）が穿孔されている。挿入凸部２８は、スペーサ１８および第１押さえ板１９の挿通孔２２，２３よりもわずかに小さく、スペーサ１８および第１押さえ板１９の挿通孔２２，２３に回転可能に挿入される。
【００７４】
下地金網固定構造１０Ｃの施工では、アンカー孔２７を穿孔した後、ワイヤーメッシュ１４をモルタル塗布面１２に配置しつつ、一体成型されたスペーサ１８および第１押さえ板１９をワイヤーメッシュ１４の開口１７からモルタル塗布面１２に向かって挿入し、スペーサ１８および第１押さえ板をモルタル塗布面１２とワイヤーメッシュ１４との間に配置する。
【００７５】
挿入凸部２８を有する第２押さえ板２０をワイヤーメッシュ１４の外側に配置し、第２押さえ板２０の挿入凸部２８をスペーサ１８および第１押さえ板１９の挿通孔２２，２３に挿入し、第２押さえ板２０を第１押さえ板１９に重ね合わせる。第２押さえ板２０の挿入凸部２８をスペーサ１８および第１押さえ板１９の挿通孔２２，２３に挿入することで、第１押さえ板１９に対する第２押さえ板２０の縦方向や横方向のずれ動きが阻止され、第１および第２押さえ板１９，２０の重なり合った状態が維持される。
【００７６】
次に、Ｐレスアンカー２１の螺子部２５を第２押さえ板２０および挿入凸部２８の挿通孔２４，２９（第２挿通孔）に挿通するとともに、Ｐレスアンカー２１の螺子部２５を第１押さえ板１９およびスペーサ１８の挿通孔２２，２３（第１挿通孔）に挿通し、Ｐレスアンカー２１の螺子部２５をモルタル塗布面１１に穿孔されたアンカー孔２７に螺着する。
【００７７】
螺子部２５がアンカー孔２７に螺着されたＰレスアンカー２１によって第１および第２押さえ板１９，２０がワイヤーメッシュ１４に密着し、Ｐレスアンカー２１によってスペーサ１８および第１押さえ板１９と第２押さえ板２０とがモルタル塗布面１２（構造物１１）に強固に固定され、図８に示すように、ワイヤーメッシュ１４の縦線条１５と横線条１６とのうちの少なくとも一方が第１押さえ板１９と第２押さえ板２０とに挟み込まれた状態でワイヤーメッシュ１４がモルタル塗布面１２（構造物１１）に固定される。次に、モルタル塗布面１２に樹脂モルタル１３またはポリマーセメントモルタル１３を吹き付ける。あるいは、モルタルをコテ塗りによってモルタル塗布面１２に塗布する。
【００７８】
下地金網固定構造１０Ｄは、図１の下地金網固定構造１０Ａや下地金網固定構造１０Ｃが有する効果に加え、以下の効果を有する。下地金網固定構造１０Ｄは、ワイヤーメッシュ１４を挟んで第１押さえ板１９と第２押さえ板２０とを重ね合わせるときに、スペーサ１８および第１押さえ板１９の挿通孔２２，２３（第１挿通孔）に第２押さえ板２０の挿入凸部２８を挿入することで、第１押さえ板１９に対する第２押さえ板２０のずれ動きを防ぐことができるから、第１押さえ板１９の位置に第２押さえ板２０を容易に配置することができ、第１押さえ板１９と第２押さえ板２０とでワイヤーメッシュ１４の縦線条１５や横線条１６を確実に挟み込むことができる。
【００７９】
図１１は、一例として示す下地金網固定構造１０Ｅの斜視図であり、図１２は、下地金網固定構造１０Ｅの側面図である。図１３は、下地金網固定構造１０Ｅの各構成部材を示す分解斜視図であり、図１４は、下地金網固定構造１０Ｅの各構成部材を示す分解側面図である。図１１は、構造物１１のモルタル塗布面１２に樹脂モルタル１３やポリマーセメントモルタル１３を吹き付ける以前の状態を示す。図１２では、下地金網固定構造１０Ｅの各構成部材を実線で示す。図１１では、構造物１１のモルタル塗布面１２を省略している。図１３，１４では、構造物１１のモルタル塗布面１２を省略し、Ｐレスアンカー２１の図示を省略している。図１２では、軸方向を矢印Ａで示し、径方向を矢印Ｂで示す。
【００８０】
下地金網固定構造１０Ｅが図１のそれと異なるところは、スペーサ１８と第１押さえ板１９とが一体になっている点、スペーサ１８および第１押さえ板１９に案内溝３０（案内凹部）が形成されている点、第２押さえ板２０がスペーサ１８および第１押さえ板１９の挿通孔２２，２３（第１挿通孔）に嵌合する嵌合凸部３１を有する点、第２押さえ板２０および嵌合凸部３１に案内凸条３３（案内凸部）が形成されている点にある。下地金網固定構造１０Ｅのその他の構成は図１の下地金網固定構造１０Ａのそれらと同一であるから、図１と同一の符号を付すとともに、図１の下地金網固定構造１０Ａの説明を援用することで、下地金網固定構造１０Ｅのその他の構成の詳細な説明は省略する。
【００８１】
下地金網固定構造１０Ｅは、構造物１１のモルタル塗布面１２に設置されるワイヤーメッシュ１４（下地金網）と、ワイヤーメッシュ１４をモルタル塗布面１２に固定する固定手段とから形成されている。固定手段は、スペーサ１８および第１押さえ板１９と第２押さえ板２０とＰレスアンカー２１（固定ビス）とから形成されている。ワイヤーメッシュ１４やＰレスアンカー２１は、図１の下地金網固定構造１０Ａのそれらと同一である。
【００８２】
スペーサ１８と第１押さえ板１９とは、下地金網固定構造１０Ｃと同様に、それらが一体（一体成型）に作られている。スペーサ１８は、軸方向へ長い円筒状に成形され、その頂部（スペーサ１８のワイヤーメッシュ１４（下地金網）に対向する対向端部）に第１押さえ板１９が形成されている。スペーサ１８には、Ｐレスアンカー２１を挿通する挿通孔２２（第１挿通孔）が穿孔されている。スペーサ１８の軸方向の長さ寸法Ｌ５を調節することで、モルタル塗布面１２に対するワイヤーメッシュ１４の離間寸法を調節するとともに、モルタル塗布面１２に対するモルタル１３の被りを調節する。
【００８３】
第１押さえ板１９は、スペーサ１８の頂部から径方向外方へ延びている。第１押さえ板１９は、その平面形状が第２押さえ板２０のそれと同形同大である。第１押さえ板１９は、ワイヤーメッシュ１４の隣接する縦線条１５と隣接する横線条１６とのうちの少なくとも一方の２〜３本に当接することが可能な長さ寸法Ｌ１または面積を有する。第１押さえ板１９には、Ｐレスアンカー２１を挿通する挿通孔２３（第１挿通孔）が穿孔されている。
【００８４】
スペーサ１８と第１押さえ板１９とには、軸方向へ延びていて径方向外方へ凹む２本の案内溝３０が形成されている。それら案内溝３０は、互いに１８０度離間対向し、挿通孔２２と挿通孔２３との間に延びている。なお、３本または４本の案内溝３０がスペーサ１８および第１押さえ板１９に形成されていてもよい。案内溝３０が３本の場合、それら案内溝３０が１２０度離間して等間隔に並び、案内溝３０が３本の場合、それら案内溝３０が９０度離間して等間隔に並ぶ。また、案内溝３０ではなく、軸方向へ延びていて径方向内方へ凸となる案内凸条３３がスペーサ１８および第１押さえ板１９に形成されていてもよい。
【００８５】
第２押さえ板２０には、Ｐレスアンカー２１を挿通する挿通孔２４（第２挿通孔）が穿孔され、挿通孔２４の周縁から第１押さえ板１９に向かって軸方向へ延びる嵌合凸部３１が形成されている。嵌合凸部３１には、Ｐレスアンカー２１を挿通する挿通孔３２（第２挿通孔）が穿孔されている。第２押さえ板２０と嵌合凸部３１とには、軸方向へ延びていて径方向内方へ凸となる２本の案内凸条３３が形成されている。
【００８６】
それら案内凸条３３は、互いに１８０度離間対向し、挿通孔２４と挿通孔３２との間に延びている。なお、３本または４本の案内凸条３３が第２押さえ板２０および嵌合凸部３１に形成されていてもよい。案内凸条３３が３本の場合、それら案内凸条３３が１２０度離間して等間隔に並び、案内凸条３３が３本の場合、それら案内凸条３３が９０度離間して等間隔に並ぶ。また、案内凸条３３ではなく、軸方向へ延びていて径方向外方へ凹む案内溝３０が第２押さえ板２０および挿入凸部２８に形成されていてもよい。嵌合凸部３１は、スペーサ１８および第１押さえ板１９の挿通孔２２，２３よりもわずかに小さく、スペーサ１８および第１押さえ板１９の挿通孔２２，２３に回転不能に挿入される。
【００８７】
下地金網固定構造１０Ｅの施工では、アンカー孔２７を穿孔した後、ワイヤーメッシュ１４をモルタル塗布面１２に配置しつつ、一体成型されたスペーサ１８および第１押さえ板１９をワイヤーメッシュ１４の開口１７からモルタル塗布面１２に向かって挿入し、スペーサ１８および第１押さえ板をモルタル塗布面１２とワイヤーメッシュ１４との間に配置する。
【００８８】
嵌合凸部３１を有する第２押さえ板２０をワイヤーメッシュ１４の外側に配置し、第２押さえ板２０の嵌合凸部３１をスペーサ１８および第１押さえ板１９の挿通孔２２，２３に挿入し、第２押さえ板２０と第１押さえ板１９とを嵌合させ、第１および第２押さえ板１９，２０を重ね合わせる。嵌合凸部３１の挿通孔２２，２３への挿入時には、スペーサ１８および第１押さえ板１９に形成された案内溝３０と第２押さえ板２０および嵌合凸部３１に形成された案内凸条３３とを一致させ、案内溝３０に案内凸条３３を嵌入させる。
【００８９】
案内溝３０に案内凸条３３を嵌入し、第２押さえ板２０の嵌合凸部３１をスペーサ１８および第１押さえ板１９の挿通孔２２，２３に挿入することで、第１押さえ板１９に対する第２押さえ板２０の縦方向や横方向のずれ動きが阻止されるとともに、第１押さえ板１９に対する第２押さえ板２０の回転が阻止され、第１押さえ板の対向面全域と第２押さえ板の対向面全域とが当接する。案内凸条３３が案内溝３０に嵌入することで、第１および第２押さえ板１９，２０の対向面全域の当接状態（対向面全域が重なり合った状態）が維持される。
【００９０】
なお、案内凸条３３がスペーサ１８および第１押さえ板１９に形成され、案内溝３０が第２押さえ板２０および挿入凸部２８に形成されている場合は、スペーサ１８および第１押さえ板１９に形成された案内凸条３３と第２押さえ板２０および嵌合凸部３１に形成された案内溝３０とを一致させ、案内溝３０に案内凸条３３を嵌入させる。この場合においても、第１および第２押さえ板１９，２０の対向面全域の当接状態（対向面全域が重なり合った状態）が維持される。
【００９１】
次に、Ｐレスアンカー２１の螺子部２５を第２押さえ板２０および嵌合凸部３１の挿通孔２４，３２（第２挿通孔）に挿通するとともに、Ｐレスアンカー２１の螺子部２５を第１押さえ板１９およびスペーサ１８の挿通孔２２，２３（第１挿通孔）に挿通し、Ｐレスアンカー２１の螺子部２５をモルタル塗布面１１に穿孔されたアンカー孔２７に螺着する。
【００９２】
螺子部２５がアンカー孔２７に螺着されたＰレスアンカー２１によって第１および第２押さえ板１９，２０がワイヤーメッシュ１４に密着し、Ｐレスアンカー２１によってスペーサ１８および第１押さえ板１９と第２押さえ板２０とがモルタル塗布面１２（構造物１１）に強固に固定され、図１２に示すように、ワイヤーメッシュ１４の縦線条１５と横線条１６とのうちの少なくとも一方が第１押さえ板１９と第２押さえ板２０とに挟み込まれた状態でワイヤーメッシュ１４がモルタル塗布面１２（構造物１１）に固定される。次に、モルタル塗布面１２に樹脂モルタル１３またはポリマーセメントモルタル１３を吹き付ける。あるいは、モルタルをコテ塗りによってモルタル塗布面１２に塗布する。
【００９３】
下地金網固定構造１０Ｅは、図１の下地金網固定構造１０Ａや下地金網固定構造１０Ｃが有する効果に加え、以下の効果を有する。下地金網固定構造１０Ｅは、ワイヤーメッシュ１４を挟んで第１押さえ板１９と第２押さえ板２０とを重ね合わせるときに、スペーサ１８および第１押さえ板１９の挿通孔２２，２３（第１挿通孔）の案内溝３０（または案内凸条３３）に第２押さえ板２０および嵌合凸部３１の案内凸条３３（または案内溝３０）が嵌入しつつ、スペーサ１８および第１押さえ板１９の第１挿通孔２２，２３に第２押さえ板２０の嵌合凸部３１が嵌合することで、第１押さえ板１９に対して第２押さえ板２０が回転不能になり、第１押さえ板１９の対向面全域と第２押さえ板２０の対向面全域とを一致（当接）させた状態で第１および第２押さえ板１９，２０を重ね合わせることができ、第１および第２押さえ板１９，２０でワイヤーメッシュ１４の縦線条１５や横線条１６を確実に挟み込むことができる。下地金網固定構造１０Ｅは、モルタル塗布面１２に対する第１および第２押さえ板１９，２０の影を最小限にすることができるから、モルタル塗布面１２と第１および第２押さえ板１９，２０との間の空間にモルタル１３を確実に充填することができる。
【００９４】
図１５は、一例として示す下地金網固定構造１０Ｆの各構成部材を示す分解斜視図である。図１６では、構造物１１のモルタル塗布面１２を省略している。なお、下地金網固定構造１０Ｆの側面図は、図６と同様に表れる。下地金網固定構造１０Ｆが図１および図６のそれと異なるところは、Ｐレスアンカー２１（固定ビス）と第２押さえ板２０とが一体になっている点にある。下地金網固定構造１０Ｆのその他の構成は図１の下地金網固定構造１０Ａや図６の下地金網固定構造１０Ｃのそれらと同一であるから、図１や図６と同一の符号を付すとともに、図１や図６の下地金網固定構造１０Ａ，１０Ｃの説明を援用することで、下地金網固定構造１０Ｆのその他の構成の詳細な説明は省略する。
【００９５】
下地金網固定構造１０Ｆは、構造物１１のモルタル塗布面１２に設置されるワイヤーメッシュ１４（下地金網）と、ワイヤーメッシュ１４をモルタル塗布面１２に固定する固定手段とから形成されている。固定手段は、スペーサ１８および第１押さえ板１９と第２押さえ板２０およびＰレスアンカー２１（固定ビス）とから形成されている。ワイヤーメッシュ１４、スペーサ１８および第１押さえ板１９は、図１や図６の下地金網固定構造１０Ａ，１０Ｃのそれらと同一である。
【００９６】
第２押さえ板２０とＰレスアンカー２１とは、それらが一体（一体成型）に作られている。第２押さえ板２０とＰレスアンカー２１とは、金属（鋼材や鉄、ステンレス、アルミ、真鍮、合金等）または合成樹脂から作られている。Ｐレスアンカー２１は、螺子部２５と頭部２６とを有し、その頭部２６に第２押さえ板２０が形成されている。
【００９７】
第２押さえ板２０は、Ｐレスアンカー２１の頭部２６から径方向外方へ延びている。第２押さえ板２０は、その平面形状が第１押さえ板１９のそれと同形同大である。第２押さえ板２０は、ワイヤーメッシュ１４の隣接する縦線条１５と隣接する横線条１６とのうちの少なくとも一方の２〜３本に当接することが可能な長さ寸法Ｌ３または面積を有する。
【００９８】
下地金網固定構造１０Ｆの施工では、アンカー孔２７を穿孔した後、ワイヤーメッシュ１４をモルタル塗布面１２に配置しつつ、一体成型されたスペーサ１８および第１押さえ板１９をワイヤーメッシュ１４の開口１７からモルタル塗布面１２に向かって挿入し、スペーサ１８および第１押さえ板をモルタル塗布面１２とワイヤーメッシュ１４との間に配置する。
【００９９】
ワイヤーメッシュ１４の外側に第２押さえ板２０およびＰレスアンカー２１を配置し、Ｐレスアンカー２１の螺子部２５を第１押さえ板１９およびスペーサ１８の挿通孔２２，２３（第１挿通孔）に挿通し、または、Ｐレスアンカー２１の螺子部２５を第１押さえ板１９およびスペーサ１８の螺着孔２２，２３（第１挿通孔）に螺着する。さらに、Ｐレスアンカー２１の螺子部２５をモルタル塗布面１１に穿孔されたアンカー孔２７に螺着する。
【０１００】
Ｐレスアンカー２１の螺子部２５をアンカー孔２７にねじ込むと、Ｐレスアンカー２１の螺子部２５がモルタル塗布面１２から構造物１１に次第に進入するとともに、第２押さえ板２０が第１押さえ板１９に向かって次第に移動し、第２押さえ板２０が第１押さえ板１９に密着する。Ｐレスアンカー２１によってスペーサ１８と第１および第２押さえ板１９，２０とがモルタル塗布面１２（構造物１１）に強固に固定され、図１５に示すように、ワイヤーメッシュ１４の縦線条１５と横線条１６とのうちの少なくとも一方が第１押さえ板１９と第２押さえ板２０とに挟み込まれた状態でワイヤーメッシュ１４がモルタル塗布面１２（構造物１１）に固定される。次に、モルタル塗布面１２に樹脂モルタル１３またはポリマーセメントモルタル１３を吹き付ける。あるいは、モルタルをコテ塗りによってモルタル塗布面１２に塗布する。
【０１０１】
下地金網固定構造１０Ｆは、図１や図６の下地金網固定構造１０Ａ，１０Ｃが有する効果に加え、以下の効果を有する。下地金網固定構造１０Ｆは、
第２押さえ板２０がＰレスアンカー２１（固定ビス）と一体となることで、Ｐレスアンカー２１をモルタル塗布面１２から構造物１１にねじ込んで行くと、Ｐレスアンカー２１とともに第２押さえ板２０が第１押さえ板１９に密着し、Ｐレスアンカー２１によってスペーサ１８と第１および第２押さえ板１９，２０とがモルタル塗布面１２に固定されるから、第２押さえ板２０を第１押さえ板１９に重ね合わせる手間を省くことができるとともに、第１押さえ板１９とＰレスアンカー２１と一体の第２押さえ板２０とでワイヤーメッシュ１４（下地金網）の縦線条１５や横線条１６を確実に挟み込むことができる。下地金網固定構造１０Ｆは、第１押さえ板１９とＰレスアンカー２１と一体の第２押さえ板２０とをモルタル塗布面１２に固定することで、第１押さえ板１９と第２押さえ板２０とでワイヤーメッシュ１４の各線条１５，１６を確実に挟み込むことができるから、熟練の作業者でなくても、ワイヤーメッシュ１４をモルタル塗布面１２に手間を要せず容易に固定することができる。
【符号の説明】
【０１０２】
１０Ａ  下地金網固定構造
１０Ｂ  下地金網固定構造
１０Ｃ  下地金網固定構造
１０Ｄ  下地金網固定構造
１０Ｅ  下地金網固定構造
１０Ｆ  下地金網固定構造
１１    構造物
１２    モルタル塗布面
１３    モルタル
１４    ワイヤーメッシュ（下地金網）
１５    縦線条
１６    横線条
１７    開口
１８    スペーサ
１９    第１押さえ板
２０    第２押さえ板
２１    Ｐレスアンカー（固定ビス）
２２    挿通孔または螺着孔（第１挿通孔）
２３    挿通孔または螺着孔（第１挿通孔）
２４    挿通孔または螺着孔（第２挿通孔）
２５    螺子部
２６    頭部
２７    アンカー孔
２８    挿入凸部
２９    挿通孔（第２挿通孔）
３０    案内溝
３１    嵌合凸部
３２    挿通孔（第２挿通孔）
３３    案内凸条
【図１】
2016079747.tif 000003
【図２】
2016079747.tif 000004
【図３】
2016079747.tif 000005
【図４】
2016079747.tif 000006
【図５】
2016079747.tif 000007
【図６】
2016079747.tif 000008
【図７】
2016079747.tif 000009
【図８】
2016079747.tif 000010
【図９】
2016079747.tif 000011
【図１０】
2016079747.tif 000012
【図１１】
2016079747.tif 000013
【図１２】
2016079747.tif 000014
【図１３】
2016079747.tif 000015
【図１４】
2016079747.tif 000016
【図１５】
2016079747.tif 000017